(57)【要約】【課題】  水栓周りからの万が一の漏水すら防止し、シンクの清掃性や利便性、美観の向上を図ることを目的とする。【解決手段】  本発明のシステムキッチン１００は、上方に向かって開口が広くなる傾斜面２１２を一部に設けたシンク１４０と、傾斜面２１２に設けられた水栓１４２と、シンク１４０の底部２１４に設けられた排水口２１６と、水栓１４２と傾斜面２１２との連結位置２１８より下方に設けられたオーバーフロー孔２３４と、を備えることを特徴としている。【選択図】    図４
2008255574.tif 000002
【特許請求の範囲】
【請求項１】
上方に向かって開口が広くなる傾斜面を一部に設けたシンクと、
前記傾斜面の、前記シンク上端より低い位置に設けられた水栓と、
前記シンクの底部に設けられた排水口と、
前記水栓と前記傾斜面との連結位置より下方に設けられたオーバーフロー孔と、
を備えることを特徴とする、システムキッチン。
【請求項２】
前記オーバーフロー孔は、前記水栓と前記傾斜面との連結位置の直下に設けられていることを特徴とする、請求項１に記載のシステムキッチン。
【請求項３】
前記水栓の連結部下方には、前記オーバーフロー孔を該連結部前面で覆う凹部が形成されていることを特徴とする、請求項１または２のいずれかに記載のシステムキッチン。
【請求項４】
前記オーバーフロー孔に接続されたオーバーフロー管は、前記シンクの排水口または排水トラップに連通されていることを特徴とする、請求項１〜３に記載のシステムキッチン。
【発明の詳細な説明】
【技術分野】
【０００１】
本発明は、シンクが設けられたシステムキッチンに関する。
【背景技術】
【０００２】
システムキッチンは、キッチンキャビネットにシンクが一体に組み込まれ、キッチンキャビネットの上面に載置されたワークトップのシンク後方にあたる位置に水栓が取り付けられていた。
【０００３】
また、天板のシンク後部で壁面をなす垂直面に水栓を取り付け（例えば、特許文献１）、水栓の付け根部分に水を溜まり難くし、衛生的な技術も知られている。
【０００４】
このような水栓は、その吐水口をシンクの上方に配する必要上、水栓本体がワークトップやベースから垂直に起立するとともに、スパウト（シャワー水栓の場合には、ヘッドホルダーおよびシャワーヘッド）がその水栓本体から斜め上方に向かって延設される構造となっている。そして、水栓本体の上部や側部に、吐水を制御するためのレバー又はハンドルが設けられている。
【特許文献１】特開２００３−１１９８５０号公報
【発明の開示】
【発明が解決しようとする課題】
【０００５】
ところで、本願発明者らは、システムキッチンにおけるシンクの内周面の一部に傾斜面を設け清掃性を向上させる技術を検討している。また、このように形成された傾斜面から水栓（カラン）を突設させ、水栓周りの清掃性および利便性を高める技術も併せて検討されている。このように水栓を設置することで、対面式のオープンキッチンの場合に、ダイニング側から水栓の根元を見えなくすることができ、美観が非常に向上する。
【０００６】
通常、シンクは、全体がステンレスや樹脂等で一体的に形成されているので漏水の心配はないが、水栓を取り付けるための取り付け孔を傾斜面に切削することで、たとえ水栓と取り付け孔との間をパッキンで埋め、防水加工を施したとしても、漏水の可能性は残ってしまう。
【０００７】
本発明は、従来のシンクの漏水の可能性に関する上記問題点に鑑みてなされたものであり、本発明の目的は、水栓周りからの万が一の漏水すら防止し、シンクの清掃性や利便性、美観の向上を図ることが可能な、新規かつ改良されたシステムキッチンを提供することを目的としている。
【課題を解決するための手段】
【０００８】
上記課題を解決するために、本発明のある観点によれば、上方に向かって開口が広くなる傾斜面を一部に設けたシンクと、傾斜面の、シンク上端より低い位置に設けられた水栓と、シンクの底部に設けられた排水口と、水栓と傾斜面との連結位置より下方に設けられたオーバーフロー孔と、を備えることを特徴とする、システムキッチンが提供される。
【０００９】
本発明では、水栓がシンクの傾斜面に設けられるため、水栓の連結位置（設置位置）がシンクの縁より低くなる。従って、シンクに貯水すると連結位置が水没する虞がある。かかる水栓では、放水の有無を、機械的開閉動作を通じてユーザが直接操作するので、その動作に伴う外力を受けてしまう。従って、水栓と取り付け孔との間をパッキンで埋め、防水加工を施したとしても、漏水の可能性は残る。かかる水栓の連結位置より下方にオーバーフロー孔を設ける構成により、湯水の水位が水栓の連結位置までのぼる前に、湯水がオーバーフロー孔から排水され、水栓の水没を回避できる。こうして、水栓周りからの万が一の漏水すら防止し、清掃性や利便性、美観の向上を図ることが可能となる。ここで、湯水とは、湯を含む水等の液体をいう。
【００１０】
また、オーバーフロー孔により、水栓における放水量が想定される通常の範囲内であれば、水位を一定に保つことができるので、調理器具等の洗浄で湯水を少しずつ排水したい場合や、熱を帯びた容器を水冷する場合等に上記設けられるオーバーフロー孔が有効に機能する。
【００１１】
さらに、シンク内の貯水水位は、オーバーフロー孔によって制限されるので、シンクの縁を部分的に浅く設定することができ、例えば、洗面台のようにシンク前面を低く設定することも可能となる。
【００１２】
オーバーフロー孔は、水栓と傾斜面との連結位置の直下に設けられるとしてもよい。
【００１３】
かかる構成により、オーバーフロー孔が水栓に隠れ、シンクを見下ろす通常の視点では、そのオーバーフロー孔の存在を視認し難く、オーバーフロー孔によって美観を損なう虞もなくなり、シンク全体の美観および高級感の向上を図ることができる。
【００１４】
水栓の連結部下方には、オーバーフロー孔を連結部前面で覆う凹部が形成されてもよい。
【００１５】
オーバーフロー孔を傾斜面上の水栓の直下に設ける場合、水栓の連結部下方を、オーバーフロー孔を隠蔽するように予め凹形状に形成することが可能となる。かかる凹部を通じて、オーバーフロー孔をより視認し難くさせることで、シンク全体の美観および高級感をより向上させることができる。
【００１６】
オーバーフロー孔に接続されたオーバーフロー管は、シンクの排水口または排水トラップに連通されるとしてもよい。
【００１７】
かかる構成により、排水管を１つに纏めることができ、コスト低減およびメンテナンスの労力軽減を図ることができる。
【発明の効果】
【００１８】
以上説明したように本発明のシステムキッチンによれば、水栓周りからの万が一の漏水すら防止し、シンクの清掃性や利便性、美観の向上を図ることが可能となる。
【発明を実施するための最良の形態】
【００１９】
以下に図面を参照しながら、本発明の好適な実施の形態について詳細に説明する。なお、本明細書及び図面において、実質的に同一の機能構成を有する構成要素については、同一の符号を付することにより重複説明を省略する。
【００２０】
（システムキッチン）
本発明の実施形態によるシステムキッチンとして、ここでは、特別な敷居を設けることなく、リビングとダイニングが１つの部屋で共存する対面式のオープンキッチンを挙げる。かかるオープンキッチンでは、対面式カウンタータイプのキッチンにより、家族や友人とのコミュニケーションがとりやすく、また、キッチン周辺でくつろいだ時間を過ごすことができる。ここで、システムキッチンは、シンク等のキッチン設備を機能的に一体化したものを指す。
【００２１】
図１は、本実施形態によるシステムキッチン１００の概略的な構成を説明するための外観斜視図である。かかるシステムキッチン１００は、対面式カウンタ１１０と壁側戸棚１２０とに大別できる。なお、以下の実施例に示す寸法、材料、その他具体的な数値などは、発明の理解を容易とするための例示に過ぎず、特に断る場合を除き、本発明を限定するものではない。
【００２２】
対面式カウンタ１１０には、シンク１４０と、シンク１４０に対して湯水を供給する水栓１４２と、加熱調理器１４４と、加熱調理器１４４からの湯気および熱を屋外に放出するレンジフード１４６と、煙および熱をレンジフード１４６に案内する半透明の案内板１４８と、ワークトップ１５０と、が設けられ、さらに、軽食やおやつ等を楽しめるカフェテーブル１６０と、複数の椅子１６２と、本を収納可能なマガジン収納部１６４と、を備えることができる。そして、カフェテーブル１６０はキッチン本体側からの照明に照らされる。
【００２３】
ここで、水回りを形成するシンク１４０は、樹脂や、ステンレス鋼板等の金属を材料として用い、プレス成形や注型成形、インジェクション成形等により水切り凹部や排水口と一体的に形成される。また、加熱調理器１４４は、ガスコンロや石油コンロを利用することができるが、図示したように上面に耐熱ガラス版やセラミック板を設けたＩＨヒータであってもよい。
【００２４】
また、壁側戸棚１２０には、戸棚１７０と、大容量の壁側収納部１７２とが設けられ、壁側収納部１７２の上面は、戸棚１７０底面で発光する照明に照らされる。また、戸棚１７０の内部にも照明が設けられ、戸棚１７０の上面および前面に設けられた透明または半透明の板材を介して間接的に発光する。かかる光は、戸棚１７０が設置された壁面上方を柔らかく照らし、その壁面に広がる間接照明によって、高級感および美観を向上する。
【００２５】
図２は、本実施形態のシステムキッチンの調理側面を説明するための外観斜視図である。ここで、システムキッチン１００は、加熱調理器１４４のグリル部１８０と、複数のカウンタ収納部１８２と、複数の足下収納庫１８４と、シンク１４０における水切りメッシュプレート１８６と、引出１９０と、引出１９０に一体形成されたタオル掛け保護部材１９２と、タオル掛け１９４と、を含んでいる。
【００２６】
また、水栓１４２のさらに奥には、当該システムキッチン１００の長手方向に、例えば、４０ｍｍ程度の段差からなるバックガード１９６が設けられる。かかるバックガード１９６により、システムキッチン１００の対面から適度に手元を隠し、また、対面側への水じまいが良好となる。さらに、かかるバックガード１９６によって、キッチンのワークトップ１５０をドライゾーンとウェットゾーンに分離することができる。
【００２７】
以下の実施形態では、かかる要素のうち、特にシンク１４０を挙げて説明する。当該シンク１４０は、例えば、アクリル系人工大理石で形成される。
【００２８】
図３は、シンク１４０の外観を示した外観斜視図である。当該シンク１４０の奥には、上方に向かって開口が広くなる傾斜面２１２が設けられ、この傾斜面２１２の中央から水栓１４２が突設される。従って、水栓１４２はシンク１４０上端より低い位置に形成される。また、シンク１４０の底部２１４には排水口２１６が設けられ、さらに、水栓１４２と傾斜面２１２との連結位置２１８より下方にはオーバーフロー孔が設けられている。オーバーフロー孔は、後述する理由により、図示されない。
【００２９】
図３に示したように、本実施形態では、清掃性や美観を向上する目的で、水栓１４２がシンク１４０の傾斜面２１２に設けられるため、水栓１４２の連結位置２１８がシンクの縁より低くなる。従って、シンクに貯水すると連結位置２１８が水没する虞がある。かかる水栓では、放水の有無を、機械的開閉動作を通じてユーザが直接操作するので、その動作に伴う外力を受けてしまう。従って、水栓１４２と取り付け孔との間をパッキンで埋め、防水加工を施したとしても、漏水の可能性は残る。
【００３０】
そこで、本実施形態では、水栓１４２の連結位置２１８より下方にオーバーフロー孔を設ける。かかる構成により、湯水の水位が水栓の連結位置までのぼる前に、湯水がオーバーフロー孔から排水され、水栓１４２が水没するのを回避できる。こうして、水栓１４２周りからの万が一の漏水すら防止し、清掃性や利便性、美観の向上を図ることが可能となる。
【００３１】
従来から、シンクの湯水の氾濫を防止するオーバーフローは存在したが、水栓との関係において位置を規定したものではなく、そもそも本実施形態のような水栓周りの漏水を防止するといった概念すら従来では存在しなかった。
【００３２】
また、オーバーフロー孔により、水栓１４２からの放水量が想定される通常の範囲内であれば、水位を一定に保つことができるので、調理器具等の洗浄で湯水を少しずつ排水したい場合や、熱を帯びた容器を水冷する場合等に上記オーバーフロー孔が有効に機能する。
【００３３】
さらに、シンク１４０内の貯水水位は、オーバーフロー孔によって制限されるので、シンク１４０の縁を部分的に浅く設定することができ、例えば、洗面台のようにシンク１４０前面を低く設定することも可能となる。
【００３４】
このような、オーバーフロー孔は、連結位置２１８の下方であれば内周のいずれの面で行うこともできるが、本実施形態では、水栓１４２と傾斜面２１２との連結位置２１８の直下に設けることとする。
【００３５】
かかる構成により、オーバーフロー孔が水栓１４２に隠れ、シンク１４０を見下ろす通常の視点では、そのオーバーフロー孔の存在を視認し難く、オーバーフロー孔によって美観を損なう虞もなくなり、シンク全体の美観および高級感の向上を図ることができる。
【００３６】
図４は、図３のＡＡ縦断面を示した縦断面図である。ここでは、水栓１４２の連結部２３０下方は、オーバーフロー孔２３４を連結部２３０前面で覆う凹部２３２が形成されている。
【００３７】
オーバーフロー孔２３４を傾斜面２１２上の水栓１４２の直下に設ける場合、水栓１４２の連結部２３０下方を、オーバーフロー孔２３４を隠蔽するように予め凹形状に形成することが可能となる。かかる凹部２３２を通じて、オーバーフロー孔２３４をより視認し難くさせることで、シンク１４０全体の美観および高級感をより向上させることができる。
【００３８】
ここで、凹部２３２は、シンク１４０長手方向にも開口するように形成される。凹部２３２がオーバーフロー孔２３４の周囲を完全に覆ってしまうと、オーバーフロー孔２３２内の空気の逃げ場がなくなり、シンク１４０側の水位が上がって圧力が高まったとしても凹部２３２に湯水が浸水してこない現象が生じる。本実施形態では、凹部２３２の形状をシンク１４０長手方向に連続して形成し、その開口によって空気の逃げ場を提供する。
【００３９】
図４の構成において、シンク１４０の排水口２１６に蓋２４０をし、水栓１４２から所定量放水し続けるとシンク１４０内に湯水２４２が溜まる。しかし、その水位がオーバーフロー孔２３４に達すると、追加された湯水分の排水がオーバーフロー孔２３４を介して排出される。こうして、水栓１４２の取り付け孔２４４を水没させることなく、安心して湯水を利用することができる。
【００４０】
次に、オーバーフロー孔２３４の排水システムについて説明する。
【００４１】
図５は、シンク１４０の排水管の構成を示した外観斜視図である。かかる外観斜視図は、シンク１４０の裏側外観を示している。かかる図５の実施形態では、オーバーフロー孔２３４に接続されたオーバーフロー管２５０は、シンクの排水トラップ２２０に連通され、オーバーフロー孔２３４から排出した湯水は、排水口２１６の排水共々、フィルタリングされて排水管２５２に排出される。
【００４２】
かかる構成により、排水管を１つに纏めることができ、コスト低減およびメンテナンスの労力軽減を図ることができる。
【００４３】
上述した実施形態において説明したシステムキッチンによれば、水栓周りからの万が一の漏水すら防止し、シンクの清掃性や利便性の向上を図ることが可能となる。
【００４４】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４５】
本発明は、シンクが設けられたシステムキッチンに利用することができる。
【図面の簡単な説明】
【００４６】
【図１】本実施形態によるシステムキッチンの概略的な構成を説明するための外観斜視図である。
【図２】本実施形態のシステムキッチンの調理側面を説明するための外観斜視図である。
【図３】シンクの外観を示した外観斜視図である。
【図４】図３のＡＡ縦断面を示した縦断面図である。
【図５】シンクの排水管の構成を示した外観斜視図である。
【符号の説明】
【００４７】
１００  システムキッチン
１４０  シンク
１４２  水栓
２１２  傾斜面
２１４  底部
２１６  排水口
２１８  連結位置
２２０  排水トラップ
２３０  連結部
２３２  凹部
２３４  オーバーフロー孔
２５０  オーバーフロー管
【図１】
2008255574.tif 000003
【図２】
2008255574.tif 000004
【図３】
2008255574.tif 000005
【図４】
2008255574.tif 000006
【図５】
2008255574.tif 000007